(57)【要約】【課題】カバーに設けられたアンテナの通信性能の変化を検知して、アンテナの通信性能を容易に確保することができる無線通信機器を提供する。【解決手段】無線通信機器は、アンテナが設けられたカバーの着脱が可能である。無線通信機器は、カバーのアンテナと接続するための接点を含む。無線通信機器は、無線基地局から受信する信号の信号品質の記録を示す電波状態ログを保持する。無線通信機器は、接点とアンテナとの接触による信号に基づき、アンテナと接点とが接触したことを検出する。このとき、無線通信機器は、無線基地局の受信信号の信号品質を取得し、電波状態ログを参照して、無線基地局の一定期間内の過去の信号品質と比較する。無線通信機器は、信号の品質が悪化したか否かを判定し、判定結果に応じて、アンテナの接続の状態をディスプレイ等によって報知する。【選択図】図４
2015065571.tif 000002
【特許請求の範囲】
【請求項１】
カバーの着脱が可能な無線通信機器であって、
前記カバーは、アンテナが設けられ、前記無線通信機器の筐体と着脱可能であり、
前記無線通信機器は、
前記無線通信機器に前記カバーを装着している状態で前記カバーの前記アンテナと接続するための接点と、
前記カバーが前記無線通信機器に装着されている状態において、前記アンテナを介して無線基地局から受信する信号の品質の記録を示す電波状態ログ情報を記憶するための記憶部と、
前記無線通信機器の動作を制御する制御部とを備え、
前記制御部は、
前記接点と前記アンテナとの接触による信号に基づき、前記アンテナと前記接点とが接触したことを検出するための検出部と、
前記無線通信機器が無線基地局から受信した信号の品質を算出して前記記憶部に前記電波状態ログ情報として保持させるための取得部と、
前記検出部により前記アンテナと前記接点との接触が検出された場合に、無線基地局から受信する信号の品質を前記取得部により算出し、前記算出された信号の品質と、前記電波状態ログ情報に示される無線基地局の信号の品質の記録とを比較することにより、前記無線基地局から受信する信号の品質が悪化したか否かを判定する判定部と、
前記信号の品質の判定結果に応じて、前記アンテナの前記接点への接触の状態を示す報知を行う報知制御部とを含む、無線通信機器。
【請求項２】
前記制御部の前記判定部による前記比較は、前記アンテナと前記接点との接触が検出された場合に無線基地局を探索し、探索された無線基地局から受信する信号の品質を算出し、算出された信号の品質と、前記探索された無線基地局にかかる信号の品質の記録とを前記電波状態ログ情報に基づき比較することを含む、請求項１に記載の無線通信機器。
【請求項３】
前記制御部の前記判定部による前記比較は、前記アンテナと前記接点の接触が検出された場合に無線基地局を探索し、探索された無線基地局からの受信信号の品質を算出し、算出された信号の品質と、一定時間内における前記無線基地局にかかる信号の品質の記録とを前記電波状態ログ情報に基づき比較することを含む、請求項１に記載の無線通信機器。
【請求項４】
前記制御部の前記検出部が、前記アンテナと前記接点とが接触したことを検出することには、
前記カバーが前記無線通信機器に装着され、無線通信機器の電源がオフの状態からオンの状態となることで、前記接点と前記アンテナとの接触により発生する信号に基づき前記アンテナと前記接点とが接触したと検出することを含む、請求項１に記載の無線通信機器。
【請求項５】
カバーの着脱が可能な無線通信機器の動作を制御するためのプログラムであって、
前記カバーは、アンテナが設けられ、前記無線通信機器の筐体と着脱可能であり、
前記無線通信機器は、前記無線通信機器に前記カバーを装着している状態で前記カバーの前記アンテナと接続するための接点と、前記カバーが前記無線通信機器に装着されている状態において、前記アンテナを介して無線基地局から受信する信号の品質の記録を示す電波状態ログ情報を記憶するためのメモリと、前記無線通信機器の動作を制御するプロセッサとを備え、
前記プログラムは、前記プロセッサに、
前記接点と前記アンテナとの接触による信号に基づき、前記アンテナと前記接点とが接触したことを検出するステップと、
前記無線通信機器が無線基地局から受信した信号の品質を算出して前記記憶部に前記電波状態ログ情報として保持させるステップと、
前記検出するステップにより前記アンテナと接点との接触が検出された場合に、無線基地局から受信する信号の品質を前記取得部により算出し、前記算出された信号の品質と、前記電波状態ログ情報に示される無線基地局の信号の品質の記録とを比較することにより、前記無線基地局から受信する信号の品質が悪化したか否かを判定するステップと、
前記信号の品質の判定結果に応じて、前記アンテナの前記接点への接触の状態を示す報知を行うステップとを実行させる、プログラム。
【発明の詳細な説明】
【技術分野】
【０００１】
本発明は、アンテナの着脱が可能な無線通信機器に関し、特に、アンテナの通信性能を良好に発揮させるための技術に関する。
【背景技術】
【０００２】
スマートフォンやタブレット端末など、無線通信機能を備えた無線通信機器が普及している。これら無線通信機器は、本体にSIM（Subscriber  Identity  Module）カードや電池パックなどを装着するため、開閉可能なカバー部を有している。カバーを装着することで、無線通信機器の本体の電池収納部を露呈しないようにし、機器本体への異物の混入を防止して無線通信機器の信頼性を高めている。また、無線通信機器の露呈部分をカバーによって密封することで、防水性能を高めた機器もある。
【０００３】
無線通信機器において、カバーが閉め忘れられていると、機器の内部の保護が十分に機能しないこととなる。無線通信機器のカバーの閉め忘れを防止するための技術は様々なものがある。例えば、特開２０１３−２１４３１号公報（特許文献１）は、電子機器において、カバーの閉め忘れを防止することを可能とするカバー構造を開示している。特許文献１に記載された電子機器は、ケースの少なくとも一部を覆うためのカバーを有する電子機器において、ケースに一対の固定接点が設けられ、カバーに１つの可動接点が設けられ、カバーが開けられると、固定接点と可動接点とによって構成されたスイッチがオフ状態となり、このオフ状態に基づいて、カバーが開けられたことを検知し、かつ、カバーが閉じられると、スイッチがオン状態となり、このオン状態に基づいて、カバーが閉じられたことを検知する。
【先行技術文献】
【特許文献】
【０００４】
【特許文献１】特開２０１３−２１４３１号公報
【発明の概要】
【発明が解決しようとする課題】
【０００５】
無線通信機器には、カバーにアンテナを設け、このカバーを無線通信機器の筺体に装着させることで、無線通信機器のアンテナとして機能させるものもある。また、電池を内蔵するカバーに、アンテナも内蔵させるものがある。
【０００６】
しかし、無線通信機器が使用されることに伴い、アンテナの通信性能が確保されなくなる可能性もある。例えば、無線通信機器へのアンテナの装着が繰り返され、アンテナと無線通信機器との接点に汚れが発生する、また、アンテナが変形する等により、アンテナの通信性能が十分に発揮されない可能性もある。特許文献１の技術によると、カバーの開閉状態については検出しているが、例えばアンテナと筐体側との接点の変形や汚れなどによりアンテナと接点との接触が良好でなくなる場合に、アンテナの通信性能を確保することが困難となる。このようにアンテナの通信性能が確保されない状態であると、ユーザは、通信性能が十分に発揮されないまま無線通信機器を使用し続けることとなる。
【０００７】
本発明は、無線通信機器において、カバーに設けられたアンテナの通信性能を良好に発揮させるための技術を提供するものである。
【課題を解決するための手段】
【０００８】
一実施形態に従う無線通信機器は、カバーの着脱が可能である。カバーは、アンテナが設けられ、無線通信機器の筐体と着脱可能であり、無線通信機器は、無線通信機器にカバーを装着している状態でカバーのアンテナと接続するための接点と、カバーが無線通信機器に装着されている状態において、アンテナを介して無線基地局から受信する信号の品質の記録を示す電波状態ログ情報を記憶するための記憶部と、無線通信機器の動作を制御する制御部とを備え、制御部は、接点とアンテナとの接触による信号に基づき、アンテナと接点とが接触したことを検出するための検出部と、無線通信機器が無線基地局から受信した信号の品質を算出して記憶部に電波状態ログ情報として保持させるための取得部と、検出部によりアンテナと接点との接触が検出された場合に、無線基地局から受信する信号の品質を取得部により算出し、算出された信号の品質と、電波状態ログ情報に示される無線基地局の信号の品質の記録とを比較することにより、無線基地局から受信する信号の品質が悪化したか否かを判定する判定部と、信号の品質の判定結果に応じて、アンテナの接点への接触の状態を示す報知を行う報知制御部とを含む。
【０００９】
別の実施形態に従うと、カバーの着脱が可能な無線通信機器の動作を制御するためのプログラムが提供される。カバーは、アンテナが設けられ、無線通信機器の筐体と着脱可能である。無線通信機器は、無線通信機器にカバーを装着している状態でカバーのアンテナと接続するための接点と、カバーが無線通信機器に装着されている状態において、アンテナを介して無線基地局から受信する信号の品質の記録を示す電波状態ログ情報を記憶するためのメモリと、無線通信機器の動作を制御するプロセッサとを備える。プログラムは、プロセッサに、接点とアンテナとの接触による信号に基づき、アンテナと接点とが接触したことを検出するステップと、無線通信機器が無線基地局から受信した信号の品質を算出して記憶部に電波状態ログ情報として保持させるステップと、検出するステップによりアンテナと接点との接触が検出された場合に、無線基地局から受信する信号の品質を取得部により算出し、算出された信号の品質と、電波状態ログ情報に示される無線基地局の信号の品質の記録とを比較することにより、無線基地局から受信する信号の品質が悪化したか否かを判定するステップと、信号の品質の判定結果に応じて、アンテナの接点への接触の状態を示す報知を行うステップとを実行させる。
【発明の効果】
【００１０】
上記一実施形態によると、アンテナの通信性能の変化を無線通信機器が報知することで、アンテナの通信性能を容易に確保することができ、ユーザの利便性を向上させることができる。
【００１１】
この発明の上記および他の目的、特徴、局面および利点は、添付の図面と関連して理解されるこの発明に関する次の詳細な説明から明らかとなるであろう。
【図面の簡単な説明】
【００１２】
【図１】無線通信機器１００とカバー２００との外観の構成を示す図である。
【図２】無線通信機器１００およびカバー２００の構成を示すブロック図である。
【図３】電波状態ログ４１を示す図である。
【図４】無線通信機器１００がアンテナの接続の検出時にアンテナの接続の状態を判定する処理を示すフローチャートである。
【図５】アンテナの接続の異常をディスプレイ１１０によって報知する例を示す図である。
【図６】実施の形態２の無線通信機器１００とカバー２００との外観の構成を示す図である。
【図７】実施の形態２における無線通信機器１００とカバー２００との構成を示すブロック図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
なお、以下では、カバー２００に２つのアンテナおよび２つの接点が設けられている例を示して説明するが、アンテナの数はこれに限られず、１つであっても、３つ以上設けられていてもよい。各々のアンテナに対して、以下の実施の形態で説明する、無線通信機器１００とカバー２００の各アンテナとの接続の状態を報知する処理その他の処理を行うことで、本発明を実施することができる。なお、この場合、接点の数は、アンテナの数に応じたものとなる。
【００１５】
＜実施の形態１＞
図１は、無線通信機器１００とカバー２００との外観の構成を示す図である。無線通信機器１００は、無線通信機能を有する情報処理装置である。カバー２００は、アンテナが設けられており、無線通信機器１００の筐体と着脱可能な部材である。
【００１６】
図１では、構成例Ａ、構成例Ｂに、それぞれ無線通信機器１００Ａ、無線通信機器１００Ｂを示している。以下、無線通信機器１００Ａ、無線通信機器１００Ｂ等の無線通信機器を総称して「無線通信機器１００」ということもある。また、カバー２００Ａ、カバー２００Ｂ等の、アンテナが設けられたカバーを総称して「カバー２００」ということもある。
【００１７】
図１の構成例Ａに示すように、無線通信機器１００Ａは、接点を介してカバー２００Ａを装着することができる。無線通信機器１００Ａは、筐体の主面に、ディスプレイ１１０と、操作キー１１２とを備え、筐体の１の側面（図１の例では、筐体の下端の側面）に、接点１０１と、接点１０２と、接続端子１０３とを備える。
【００１８】
ディスプレイ１１０は、画像などの各種の情報を表示する。操作キー１１２は、ユーザの入力操作を受け付けるための物理的な入力装置である。
【００１９】
接点１０１と接点１０２とは、カバー２００を無線通信機器１００に装着したときに、カバー２００Ａのアンテナと接続するための接点である。接続端子１０３は、無線通信機器１００にカバー２００を装着するための端子である。これら接点は、無線通信機器１００Ａの筐体の内部に設けられた回路基板に電気的に接続されている。
【００２０】
カバー２００Ａは、アンテナ（図１の構成例Ａでは図示しない）を有する部材である。カバー２００Ａは、接点２１１と、接点２１３と、接続端子２１５とを備える。
【００２１】
接点２１１および接点２１３は、カバー２００Ａに内蔵されるアンテナの先端部分に設けられ、カバー２００Ａのアンテナを無線通信機器１００Ａに接触させるための接点として機能する。例えば、無線通信機器１００Ａの接点１０１と接点１０２とを例えばバネ製の可動接点とし、カバー２００Ａの接点２１１と接点２１３とを、固定接点とする。無線通信機器１００Ａにカバー２００Ａを装着した場合に、例えば、接点１０１と接点２１１とが接触し、接点１０２と接点２１３とが接触する。接続端子２１５は、カバー２００Ａを無線通信機器１００Ａの接続端子１０３に装着するための端子である。
【００２２】
図１の構成例Ｂに示すように、無線通信機器１００Ｂは、操作キー１１２としてテンキー配列を備える無線通信機器であるとしてもよい。また、構成例Ｂに示すように、カバー２００Ｂは、無線通信機器１００Ｂに装着させることで、無線通信機器１００のアンテナとして機能する。
【００２３】
＜構成＞
図２は、無線通信機器１００およびカバー２００の構成を示すブロック図である。図２に示すように、無線通信機器１００は、複数の接点（接点１０１、接点１０２）と、接続端子１０３と、各接点に対応する送受信回路（送受信回路１０４、送受信回路１０５）と、送受信制御部１０６と、電源制御部１０７と、バッテリ１０８と、タッチパネル１０９と、ディスプレイ１１０と、カメラ１１１と、操作キー１１２と、測位センサ１１３と、記憶部１１４と、音声処理部１１５と、マイク１１６と、スピーカ１１７と、制御部１１８と、加速度センサ１２１とを含む。
【００２４】
無線通信機器１００は、カバー２００を装着することで、アンテナを介した無線通信を行う。また、カバー２００は、無線通信機器１００に装着されることで、無線通信機器１００のアンテナとして機能する。
【００２５】
接点１０１と接点１０２とは、無線通信機器１００にカバー２００を装着した場合に、カバー２００のアンテナと無線通信機器１００とを接触させるための接触部分である。
【００２６】
接続端子１０３は、無線通信機器１００とカバー２００とを接続するための端子である。
【００２７】
送受信回路１０４と送受信回路１０５とは、カバー２００を装着した無線通信機器１００が他の無線通信機器と通信するため、アンテナ２１２、アンテナ２１４を介して信号を送受信するための変復調処理を行う。送受信回路１０４と送受信回路１０５とは、チューナー、ＲＳＳＩ（Received  Signal  Strength  Indicator）算出回路、ＣＲＣ（Cyclic  Redundancy  Check）算出回路、高周波回路などを含む通信モジュールである。送受信回路１０４と送受信回路１０５とは、無線通信機器１００が送受信する無線信号の変復調や周波数変換を行い、受信信号を送受信制御部１０６へ与える。送受信回路１０４は、例えば、ＬＴＥ（Long  Term  Evolution）、ＵＭＴＳ（Universal  Mobile  Telecommunications  System）などの移動体通信システムに対応した通信モジュールであり、比較的長距離の通信に対応している。送受信回路１０５は、例えば、Ｂｌｕｅｔｏｏｔｈ（登録商標）などの近距離無線通信規格や、ＩＥＥＥ（Institute  of  Electrical  and  Electronic  Engineers）８０２．１１などの無線ＬＡＮ（Local  Area  Network）規格などに対応した通信モジュールであり、比較的近距離の通信に対応している。
【００２８】
送受信制御部１０６は、送受信回路１０４および送受信回路１０５に制御信号を送出し、送受信回路１０４と送受信回路１０５とによる信号の送受信を制御する。例えば、送受信制御部１０６は、信号の送受信に応じて、送受信回路１０４で使用する回路を選択する。また、送受信制御部１０６は、送受信回路１０４と送受信回路１０５とのうちのいずれか、または両方を使用して無線通信機器１００が無線通信を行う場合に、通信に使用するアンテナを選択するための制御を行う。送受信制御部１０６は、接点１０１および接点１０２と接続しており、接点１０１と接点１０２とが、それぞれ接点２１１と接点２１３と接触することに伴う信号の変化に応じて、接点１０１と接点２１１とが接触したこと、また、接点１０２と接点２１３とが接触したことを検知する。
【００２９】
電源制御部１０７は、無線通信機器１００の各回路に対する電力の供給を制御する。電源制御部１０７は、例えば電源制御用ＩＣ（Integrated  Circuit）である。
【００３０】
バッテリ１０８は、無線通信機器１００の各回路を動作させるための電力を供給する供給源である。バッテリ１０８からの電力は、電源制御部１０７の制御に従って各回路へ供給される。
【００３１】
タッチパネル１０９は、ユーザの入力操作を受け付ける。タッチパネル１０９は、例えば静電容量方式のものを用いることによってユーザの接触操作を受け付ける。タッチパネル１０９は、ユーザによる入力操作を制御部１１８へ出力する。
【００３２】
ディスプレイ１１０は、メニュー画面においてアイコンや背景画像などを表示し、アプリケーションの動作によって静止画や動画などを表示する。ディスプレイ１１０は、例えばＬＣＤ（Liquid  Crystal  Display）や有機ＥＬ（electroluminescence）ディスプレイによって実現される。
【００３３】
カメラ１１１は、入射光を受光して電気信号に変換するカメラモジュールであり、ＣＭＯＳ（Complementary  Metal  Oxide  Semiconductor）センサ、ＡＤＣ（Analog  to  Digital  Converter）等を含み、画像信号を制御部１１８へ出力する。
【００３４】
操作キー１１２は、ユーザの入力操作を受け付けるための物理的な入力装置である。
測位センサ１１３は、無線通信機器１００の位置を計測するためのセンサであり、例えばＧＰＳ（Global  Positioning  System）モジュールである。
【００３５】
記憶部１１４は、例えばフラッシュメモリ等により構成され、無線通信機器１００が使用するデータおよびプログラムを記憶する。ある局面において、記憶部１１４は、電波状態ログ４１を記憶する。電波状態ログ４１は、詳しくは後述するが、無線通信機器１００が無線基地局から受信した信号の品質（受信レベル、信号強度など）の記録を示す情報である。
【００３６】
加速度センサ１２１は、無線通信機器１００の加速度の変化を検出し、無線通信機器１００の傾きを検知する。
【００３７】
音声処理部１１５は、音声信号の変復調を行う。音声処理部１１５は、マイク１１６から与えられる信号を変調して、変調後の信号を制御部１１８へ与える。また、音声処理部１１５は、音声信号をスピーカ１１７へ与える。音声処理部１１５は、例えば音声処理用のプロセッサによって実現される。
【００３８】
マイク１１６は、ユーザによる音声入力を受け付けて、当該音声入力に対応する音声信号を音声処理部１１５へ与える。
【００３９】
スピーカ１１７は、１１５から与えられる音声信号を音声に変換して当該音声を無線通信機器１００の外部へ出力する。
【００４０】
制御部１１８は、記憶部１１４に記憶される制御プログラムを読み込んで実行することにより、無線通信機器１００の動作を制御する。制御部１１８は、例えばアプリケーションプロセッサである。制御部１１８は、プログラムに従って動作することにより、接触検出部８１と、電波状態取得部８２と、接続判定部８３と、報知制御部８４との各機能を発揮する。
【００４１】
接触検出部８１は、無線通信機器１００の接点１０１、接点１０２等と、カバー２００の各アンテナの接点（接点２１１、接点２１３）との接触による信号を送受信制御部１０６から受け付けて、カバー２００の各アンテナと、無線通信機器１００の各接点（接点１０１、接点１０２等）とが接触したことを検出する。
【００４２】
電波状態取得部８２は、無線通信機器１００が無線基地局から受信した信号の品質を算出して記憶部１１４に電波状態ログ４１として保持させる。
【００４３】
接続判定部８３は、カバー２００の各アンテナと無線通信機器１００の各接点との接触が接触検出部８１によって検出された場合に、無線基地局から受信する信号の品質を電波状態取得部８２によって算出し、算出された信号の品質と、過去の受信信号の品質の記録とを比較して、無線基地局から受信する信号の品質の悪化を判定する。
【００４４】
報知制御部８４は、接続判定部８３の判定の処理の結果に応じて、無線通信機器１００とカバー２００の各アンテナとの接続の状態をディスプレイ１１０等によって報知する。報知制御部８４は、接続判定部８３により、無線基地局から受信する信号の品質が悪化していると判定される場合に、この信号の品質の悪化が、カバー２００の各アンテナと無線通信機器１００との接続に異常があることに起因する旨の報知を行う。無線通信機器１００は、アンテナの接続の異常を報知するため、例えば、ディスプレイ１１０に、アンテナの接続に異常がある可能性をユーザに示唆するテキストを表示することとしてもよい。また、無線通信機器１００は、アンテナの接続の異常を報知するため、スピーカ１１７から所定の音声を出力してもよいし、無線通信機器１００にＬＥＤ（Light  Emitting  Diode）等の発光素子が備わる場合は、これら発光素子の発光によって報知してもよいし、無線通信機器１００にバイブレータ等が備わる場合は、バイブレータによる振動を用いて、上記の報知をしてもよい。
【００４５】
図２に示すように、カバー２００は、アンテナ部２０１と、アンテナ部２０２とを含む。アンテナ部２０１は、接点２１１と、アンテナ２１２とを含む。アンテナ部２０２は、接点２１３と、アンテナ２１４とを含む。無線通信機器１００にカバー２００が装着されると、接点１０１と接点２１１とが接触し、接点１０２と接点２１３とが接触し、接続端子１０３と接続端子２１５とが接触する。カバー２００を装着した無線通信機器１００は、カバー２００のアンテナ（アンテナ２１２、アンテナ２１４）を介して空間から受信した信号を、それぞれ送受信回路１０４と送受信回路１０５とへ出力する。
【００４６】
＜データ構造＞
図３を参照し、無線通信機器１００の処理において用いられるデータを説明する。図３は、電波状態ログ４１を示す図である。
【００４７】
電波状態ログ４１は、無線通信機器１００が無線基地局から受信した信号の品質の記録を示す図である。無線通信機器１００は、無線基地局から送信される電波を、間欠的に受信する。例えば、無線通信機器１００は、１分間に数回の間隔で、無線基地局から送信される電波を監視し、無線基地局を識別する識別情報と、その無線基地局から受信する信号の信号品質（受信レベルなど）と、信号を受信した日時とを対応付けて電波状態ログ４１として記録する。電波状態ログ４１の１件のレコードは、日時４１Ａと、基地局ＩＤ４１Ｂと、電波状態４１Ｃとを含む。
【００４８】
日時４１Ａは、無線通信機器１００が無線基地局からの受信信号の品質を記録する日時を示す。基地局ＩＤ４１Ｂは、無線基地局を識別する情報を示す。電波状態４１Ｃは、受信信号の信号品質を示し、例えば受信レベルの値を格納する。
【００４９】
＜動作＞
図４を参照し、無線通信機器１００の動作を説明する。図４は、無線通信機器１００がアンテナの接続の検出時にアンテナの接続の状態を判定する処理を示すフローチャートである。無線通信機器１００は、例えば、カバー２００が無線通信機器１００に装着され、無線通信機器１００の接点１０１とカバー２００の接点２１１とが接触したことを送受信制御部１０６が検知し、この検知に基づき送受信制御部１０６が制御部１１８へカバー２００の装着を示す信号を出力することにより、図４の処理を開始する。
【００５０】
ステップＳ４１において、無線通信機器１００の制御部１１８は、送受信制御部１０６から、カバー２００のアンテナと無線通信機器１００の接点（接点１０１、接点１０２）との接触を示す信号の出力があるか判定する。送受信制御部１０６から、カバー２００のアンテナと無線通信機器１００の接点との接触を示す信号の出力がある場合は（ステップＳ４１においてＹＥＳ）、ステップＳ４３の処理を行い、そうでない場合（ステップＳ４１においてＮＯ）（例えば、無線通信機器１００とカバー２００との装着後、直ちにカバー２００が無線通信機器１００から着脱された場合など）、ステップＳ４２の処理を行う。
【００５１】
ステップＳ４２において、無線通信機器１００は、無線通信機器１００の電源をオフにしてからアンテナの接続を確認すべきことをユーザに促す報知をして処理を終了する。例えば、無線通信機器１００は、ディスプレイ１１０に、電源オフ後にアンテナを接続するよう促す表示をすることで報知を行う。
【００５２】
ステップＳ４３において、制御部１１８は、無線基地局の探索を行い、無線基地局から送信される信号の探索に成功したか否かを判定する。無線基地局の信号の探索に成功した場合（ステップＳ４３においてＹＥＳ）、制御部１１８は、ステップＳ４７の処理を行い、そうでない場合（ステップＳ４３においてＮＯ）、ステップＳ４５の処理を行う。
【００５３】
ステップＳ４５において、制御部１１８は、無線基地局の探索を再度、実行し、ステップＳ４３の処理を行う。
【００５４】
ステップＳ４７において、制御部１１８は、無線通信機器１００が無線基地局から受信した信号の品質に基づき、受信信号の電波状態（例えば、受信レベル）を取得して電波状態ログ４１として記録する。
【００５５】
ステップＳ４９において、制御部１１８は、電波状態ログ４１を参照し、受信信号の品質について、判定時点から一定期間内のログの中から、ステップＳ４７で信号品質の算出の対象となった無線基地局の識別情報に対応する、過去の受信信号の信号品質の記録があるか否かを判定する。制御部１１８は、過去の受信信号の品質の記録がある場合は（ステップＳ４９において記録あり）、ステップＳ５１の処理を行い、そうでない場合は（ステップＳ４９において記録なし）、処理を終了する。
【００５６】
ステップＳ５１において、制御部１１８は、一定期間内のログの中から、無線基地局の過去の受信信号の信号品質の記録を読み出して、ステップＳ４７で取得した電波状態と比較し、受信レベルが閾値を越えて悪化しているか否かを判定する。制御部１１８は、一定期間内のログにおける無線基地局の過去の信号品質と比べて閾値を越えて悪化している場合は（ステップＳ５１においてＹＥＳ）、ステップＳ５３の処理を行い、そうでない場合は（ステップＳ５１においてＮＯ）、処理を終了する。
【００５７】
ステップＳ５３において、制御部１１８は、カバー２００の各アンテナと無線通信機器１００との接続の異常を、ディスプレイ１１０等によって報知し、ステップＳ４１の処理を行う。
【００５８】
このように、アンテナの接続の検出時と、電波状態ログ４１に示される記録の記録日時との時間差が一定時間以上と大きい場合は、無線通信機器１００の場所が移動したことによって電波状況が変化した可能性もあるため、無線通信機器１００は、ステップＳ５１、Ｓ５３による報知の処理を行わないこととしている。
【００５９】
＜画面の表示例＞
カバー２００の各アンテナと無線通信機器１００との接触の異常を報知する方法の一例を説明する。図５は、アンテナの接続の異常をディスプレイ１１０によって報知する例を示す図である。
【００６０】
制御部１１８は、ステップＳ５３の処理により、ディスプレイ１１０の報知文表示部１３０に、テキスト「アンテナの接続に異常があります。再度接続し直してください。」等を表示することで、ユーザに対し、カバー２００の各アンテナを無線通信機器１００に再度接続するよう促すための報知を行う。
【００６１】
＜実施の形態２＞
図６および図７を参照して、実施の形態２の無線通信機器１００を説明する。図６は、実施の形態２の無線通信機器１００とカバー２００との外観の構成を示す図である。図６に示すように、無線通信機器１００Ｃは、接点を介してカバー２００Ｃを装着することができる。カバー２００Ｃは、図示しないアンテナと、バッテリーパックとを内蔵する。
【００６２】
無線通信機器１００Ｃは、筐体の主面に、ディスプレイ１１０と、操作キー１１２と、スピーカ１１７とを備え、筐体の１の側面（図１の例では、筐体の下端）に、接点１０１と、接点１０２と、接続端子１０３とを備える。無線通信機器１００Ｃの接続端子１０３は、電源制御部１０７と接続され、また、カバー２００のバッテリーパックと接続するための接点である。
【００６３】
カバー２００Ｃは、無線通信機器１００Ｃにカバー２００Ｃを装着した場合に、無線通信機器１００Ｃを外的な圧力等から保護する部材として機能する。例えば、カバー２００Ｃは、無線通信機器１００Ｃが地面等に落下した場合に、無線通信機器１００Ｃに加わる衝撃を吸収する部材として機能する。また、カバー２００Ｃは、バッテリーパックを有することで、無線通信機器１００Ｃに対し、バッテリーパックから電源電圧を供給する。また、カバー２００Ｃは、無接点充電機能を有し、例えばワイヤレス給電の規格（ワイヤレス給電の国際標準規格のQi規格など）に対応した充電装置に置かれることで、充電装置から電力の供給を受けて、カバー２００Ｃが装着された無線通信機器１００Ｃを充電可能としてもよい。カバー２００Ｃは、接点２１１と、接点２１３と、接続端子２１５とを備える。
【００６４】
図７は、実施の形態２における無線通信機器１００とカバー２００との構成を示すブロック図である。カバー２００は、電源供給部２０３を含む。電源供給部２０３は、バッテリ２１６を含み、カバー２００が無線通信機器１００に装着された場合に、電力を無線通信機器１００へ供給する。図２の例では、カバー２００は、ワイヤレス給電によってバッテリ２１６を充電する。無線通信機器１００とカバー２００とは、無線通信機器１００の接続端子１０３と、カバー２００の接続端子２１５とによって接続される。
【００６５】
このように、カバー２００が、アンテナユニットとしての機能と、無線通信機器１００を外圧から保護する機能と、カバー２００のバッテリ２１６から無線通信機器１００に電力を供給する機能と、ワイヤレス給電による充電機能とを有することで、無線通信機器１００の損傷を避けつつ、ユーザが端子等に充電器を接続する等の充電の際の手間を軽減することができ、ユーザの利便性が向上する。
【００６６】
＜実施の形態３＞
実施の形態３の無線通信機器について説明する。実施の形態１の無線通信機器１００は、無線通信機器１００とカバー２００の各アンテナとの接触を送受信制御部１０６が検出することで、カバー２００の装着前後の無線通信機器１００の受信信号の信号品質を比較し、比較結果に応じてアンテナの接触の異常を報知する。
【００６７】
実施の形態３の無線通信機器１００は、電源がオンされた場合、電池を入れ替えた場合等、無線通信機器１００を起動させる際に、アンテナの接触の状態を判定する。例えば、上記の電源オンの場合に、図４に示す処理を無線通信機器１００が実行することとしてもよい。これにより、電池の入れ替え等によりアンテナの接触が不良である場合などにおいて、無線通信機器１００は、ユーザにアンテナの接続が不良であることを報知することができる。
【００６８】
また、無線通信機器１００は、加速度センサ１２１が一定以上の加速度の変化を出力し、無線通信機器１００に落下や衝撃が加わった場合等に、アンテナの接触の状態を判定することとしてもよい。無線通信機器１００に衝撃が加わることでアンテナが変形し、アンテナの性能が低下している可能性がある。無線通信機器１００は、落下等によって無線通信機器１００に衝撃が加わり、アンテナの性能が変化して通信性能が低下している場合に、ユーザにその旨を報知することができる。
【００６９】
＜まとめ＞
上記の実施の形態で説明した無線通信機器１００およびカバー２００によると、ユーザに対し、アンテナの接続の不良を報知することができる。そのため、ユーザは、高価な測定器を用意することなく、アンテナの接続の不良を認識し、通信性能の低下に容易に対応することができる。
【００７０】
本発明の無線通信機器は、プロセッサと、その上で実行されるプログラムにより実現される。本発明を実現するプログラムは、通信インタフェースを介してネットワークを利用した送受信等により提供される。
【００７１】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００７２】
１００  無線通信機器、１０１  接点、１０２  接点、１０３  接続端子、１０４  送受信回路、１０５  送受信回路、１０６  送受信制御部、１０７  電源制御部、１０８  バッテリ、１０９  タッチパネル、１１０  ディスプレイ、１１１  カメラ、１１２  操作キー、１１３  測位センサ、１１４  記憶部、１１５  音声処理部、１１６  マイク、１１７  スピーカ、１１８  制御部、１３０  報知文表示部、２００  カバー、２０１  アンテナ部、２０２  アンテナ部、２０３  電源供給部、２１１  接点、２１２  アンテナ、２１３  接点、２１４  アンテナ、２１５  接続端子、２１６  バッテリ。
【図１】
2015065571.tif 000003
【図２】
2015065571.tif 000004
【図３】
2015065571.tif 000005
【図４】
2015065571.tif 000006
【図５】
2015065571.tif 000007
【図６】
2015065571.tif 000008
【図７】
2015065571.tif 000009